(57)【特許請求の範囲】
【請求項１】
組立住宅の住宅ユニットの縦目地を防水すべく該縦目地を挟んで隣接する前記住宅ユニット間に架設される防水テープであって、該防水テープは、住宅ユニット側に固着される壁内側辺と、外壁側に張り出して互いに係着され係着後に前記縦目地内に押し込まれる係合側辺及び前記壁内側辺と係合側辺を結ぶ上端辺と下端辺とを有する略四角状のシート部材からなり、該シート部材の前記壁内側辺の前記上端辺側からの長さＬ1が前記係合側辺の前記上端辺側からの長さＬ2よりも短寸に形成され、前記シート部材の上端辺を除く各辺の端縁には相互に係着可能な粘着層が設けられることを特徴とする防水テープ。
【請求項２】
前記防水テープがゴムシート又はゴムシートに織布を重合したものからなることを特徴とする請求項１に記載の防水テープ。
【請求項３】
前記粘着層は剥離シートにより被覆されることを特徴とする請求項１又は２に記載の防水テープ。
【発明の詳細な説明】
【０００１】
【発明の属する技術分野】
本発明は、組立住宅の縦目地を防水するのに好適な防水テープに関する。
【０００２】
【従来の技術】
図１０及び図１１に示すように、組立住宅は上下階及び隣接する左右の住宅ユニット１５が近接して配置され、それ等の各住宅ユニット１５の端縁側には縦目地１２や横目地１３が形成される。なお、住宅ユニット１５は柱部１１やこれを覆う外壁１０から形成されている。前記の縦目地１２及び横目地１３の内、縦目地１２の防水手段としては特開平８−７４３３５号公報にも開示されるように、図１２に示すような防水テープ１ｂが用いられている。また、横目地１３については図１０，図１１に示すように、化粧モール１４が被覆され、防水テープ１ｂの張り出しによる外観美の低下を防止するようにしている。
【０００３】
【発明が解決しようとする課題】
図１２に示す防水テープ１ｂは図示のように両側辺の長さＬが等しい四角状のシート部材からなり、上端辺及び下端辺の幅寸法ｗも略同一のものからなる。この防水テープ１ｂの両側辺の端縁側には粘着層３′が形成される。図１３に示すように、図１２に示した防水テープ１ｂは上階側の柱部１１に一側辺を固着した後、他側辺を外壁１２側に張り出し、その下端を下階側の小口１６に当接するように配置する。この状態で隣接する左右側の住宅ユニット１５の柱部１１に固着した同一形状の防水テープ１ｂ同士の前記他側辺を互いに係着せしめる。次に、図１４に示すように張り出し側の前記他側辺を縦目地１２内に押し入む。この場合、下階の小口１６に当接している部分の内、大部分は押し込まれずに図示のように外方を向いて残る。然し乍ら、従来の防水テープ１ｂは図１２に示すような形状のため、図１４に示すように小口１６側に残った張り出し部１７にシワやふくらみが生じ、部分的に開口部が生じる。特に、縦目地１２内に押し込まれた部分にはガスケットやバックアップ材のような目地の水切り１８が充填されるため、この水切り１８により張り出し部１７に押圧力が作用し、前記の開口部がより大きく開放され漏水の原因となる問題点がある。また、張り出し部１７で化粧モール１４が押圧されて化粧モール１４が浮き上る問題点もある。
【０００４】
本発明は、以上の問題点を解決するもので、前記張り出し部に開口部が発生せず、外観美を損うこともなく縦目地の防水が確実に行われる防水テープを提供することを目的とする。
【０００５】
【課題を解決するための手段】
本発明の防水テープは、以上の目的を達成するために、請求項１記載の通り、組立住宅の住宅ユニットの縦目地を防水すべく該縦目地を挟んで隣接する前記住宅ユニット間に架設される防水テープであって、該防水テープは、住宅ユニット側に固着される壁内側辺と、外壁側に張り出して互いに係着され係着後に前記縦目地内に押し込まれる係合側辺及び前記壁内側辺と係合側辺を結ぶ上端辺と下端辺とを有する略四角状のシート部材からなり、該シート部材の前記壁内側辺の前記上端辺側からの長さＬ1が前記係合側辺の前記上端辺側からの長さＬ2よりも短寸に形成され、前記シート部材の上端辺を除く各辺の端縁には相互に係着可能な粘着層が設けられることを特徴とする。
また、請求項２に記載の防水テープは、請求項１記載の防水テープにおいて、前記防水テープがゴムシート又はゴムシートに織布を重合したものからなることを特徴とする。
また、請求項３に記載の防水テープは、請求項１又は２記載の防水テープにおいて、前記粘着層は剥離シートにより被覆されることを特徴とする。
【０００６】
本発明の防水テープは住居ユニットの柱部に固着される壁内側辺の長さＬ1を外壁側に張り出す係合側辺の長さＬ2よりも短寸とすることにより、前記の従来技術における張り出し部のシワやふくらみが少なくなり、前記張り出し部に開口部が生じない。また、上端辺を除く各辺の端縁に粘着層が形成され、互いに係着されるため、更に前記開口部の形成が抑制される。また、張り出し部の張り出し量も少なく、モールの押圧力が低減する。以上により、確実な防水と外観美の向上が図れる。
【０００７】
【発明の実施の形態】
図１乃至図３に示すように、本発明の防水テープ１は略四角形状の平板状のゴムシート２と、上端辺を除く各辺の端縁に設けられる粘着層３と、粘着層３を被覆する剥離シート４等とからなる。図２に示すように、防水テープ１のゴムシート２は壁内に固着される壁内側辺５の長さＬ1が反対側の係合側辺６の長さＬ2より短寸に形成され、上端辺７の幅寸法がｗで下端辺８が傾斜する略台形状のものからなる。前記の粘着層３は、壁内側辺５の部分に幅寸法ｔ1の範囲に形成される粘着層３ａと、係合側辺６の部分に幅寸法ｔ2の範囲に形成される粘着層３ｂと、下端辺８の部分に幅寸法ｔ3の範囲に形成される粘着層３ｃとからなる。また、剥離シート４は図１に示すように、前記の粘着層３ａ，３ｂ，３ｃの全面に添着される剥離シート４ａ，４ｂ，４ｃからなる。
【０００８】
ゴムシート２としては、例えば、ブチルゴム、エチレン・プロピレンゴム（ＥＰＤＭ）等の防水性に優れたゴムが用いられる。また、粘着層３としては、例えば、アクリル系粘着剤等が用いられ、剥離シート４としてはクラフト離型紙等が用いられる。
【０００９】
図１乃至図３に示した防水テープ１は、ゴムシート２としてゴム材のみを用いたが、図４に示すようにゴム材２ａ′に織布９を重合したゴムシート２ａを用いた防水テープ１ａも採用される。このように、織布９を重合することにより初期延伸を低減することができる。なお、織布９としては、例えば、ポリエステル織布が用いられる。
【００１０】
以上の防水テープ１，１ａに関する１つの実施例として次のものが挙げられる。即ち、防水テープ１，１ａは、例えば、外壁１０の厚さが１２ｍｍで、縦目地１２が２０ｍｍ、横目地１３が１２ｍｍ程度の部分に用いる場合、設定圧力差５５０Ｐａ（５６．１ｋｇｆ／ｍ2）、周期２秒の近似正弦脈動圧散水量４リットル／ｍ2／分に対し、Ｌ1が３４０ｍｍ，Ｌ2が４００ｍｍ，ｗが１４０ｍｍの寸法のものが採用される。また、この場合、粘着層３の幅寸法ｔ1は４０ｍｍ，ｔ2は２０ｍｍ、ｔ3は２０ｍｍとする。また、化粧モール１４としては１００ｍｍ幅寸法のものが採用される。
【００１１】
次に、以上の構成の防水テープ１，１ａによる縦目地１２の防水作用を説明する。図５に示すように、以上の構成の防水テープ１（又は１ａ）の壁内側辺５の部分を隣接して左右方向に配置されている上階の住宅ユニット１５，１５の下端の縦目地１２を挟む柱部１１に固着する。具体的には壁内側辺５の剥離シート４ａを剥がし、粘着層３ａを柱部１１に固着する。この状態で係合側辺６の部分を外壁１０の方に張り出させる。これにより図５，図６に示すように隣接した住宅ユニット１５，１５の夫々に固着された防水テープ１，１は互いに向き合った状態となる。この状態で係合側辺６及び下端辺８の剥離シート４ｂ，４ｃを剥がし、その粘着層３ｂ，３ｃを互いに係着させる。図７はこの状態を側面から見たものである。次に、外壁１０側に張り出している部分を図８に示すように縦目地１２内に押し込む。この場合、下階の小口１６側に当接している防水テープ１の部分は縦目地１２内に押し込まれず大部分が残るが、本発明の防水テープ１の場合は前記のような下端辺８が傾斜した台形状のものからなり、且つ係合側辺６や下端辺８が互いに係着されているため、図８，図９に示すような形状の張り出し部１７となる。即ち、従来技術の張り出し部１７ａのようにシワやふくらみが殆ど生じない状態となる。縦目地１２内には水切り１８が充填されているが、この水切り１８による押圧力が張り出し部１７に加わっても張り出し部１７には開口部が生じない。また、張り出し部１７は外壁１０の表面から殆ど突出しないため、横目地１３を覆う化粧モール１４を押圧せず、化粧モール１４の浮きが生じない。以上により、縦目地１２からの水洩れが防止されると共に外観美を損うような問題点が生じない。
前記のように施工された防水シートの性能評価を行うため、ＪＩＳ−Ａ―１４１４―１９９４に準拠して試験したところ、設定圧力差５５０Ｐａ（５６．１ｋｇｆ／ｍ2）、周期２秒の近似正弦脈動圧散水量４リットル／ｍ2／分に対し、１０分間の本供試条件で漏水は全くなく、しかも化粧モールの浮きもみられなかった。
【００１２】
以上の説明において、防水テープ１，１ａの形状，材質を前記のものとしたが、建物の形状，使用目的等に応じ、防水テープ１の寸法，形状，材質は変えられ、前記のものに限定するものではない。
【００１３】
【発明の効果】
１）本発明の請求項１に記載の防水テープによれば、本発明の防水テープが、その壁内側辺を柱部側に固着された状態で係合側辺側に向かって傾斜する台形状のものから形成され、且つ上端辺を除く各辺が互いに粘着可能に形成されるため、防水テープを縦目地内に押し込んでセットしてもその下端側の張り出し部にシワやふくらみが生じない。そのため、この部分の開口や外壁面からの突出もなく、確実な防水と外観美の向上が図れる。
２）本発明の請求項２に記載の防水テープによれば、ゴムシートが織布と重合したものからなるため、初期延伸を低減でき、全体として高強度のものになる。
３）本発明の請求項３に記載の防水テープによれば、各粘着層が剥離シートにより被覆されるため、使用時まで粘着層の粘着力が保持される。
【図面の簡単な説明】
【図１】本発明の防水テープの構造を示す斜視図
【図２】図１の各辺の形状を示す平面図
【図３】図２のＡ−Ａ線拡大断面図
【図４】織布を重合したゴムシートを有する本発明の防水テープを示す断面図
【図５】本発明の防水テープによる縦目地の防水方法を示す斜視図
【図６】図５における防水テープ同士の係合状態を示す斜視図
【図７】柱部に壁内側辺を固着し係合側辺や下端辺を互いに係着して外壁側に張り出している防水テープの形態を示す模式図
【図８】図７の状態から防水テープの大部分を縦目地内に押し込んだ状態と小口側に残った張り出し部の形態を示す模式図
【図９】図８のＢ−Ｂ線断面を示す模式図
【図１０】上下階及び左右の住宅ユニットの端部とその間に形成される縦目地，横目地等を示す斜視図
【図１１】図１０のＣ矢視正面図
【図１２】従来の防水テープの平面図
【図１３】従来の防水テープの縦目地への取り付け状態を示す模式図
【図１４】従来の縦目地内に取り付けられた防水テープの問題点を説明するための模式図
【符号の説明】
１      防水テープ
１ａ    防水テープ
２      ゴムシート
２ａ    ゴムシート
２ａ′  ゴム材
３      粘着層
３ａ    粘着層
３ｂ    粘着層
３ｃ    粘着層
４      剥離シート
４ａ    剥離シート
４ｂ    剥離シート
４ｃ    剥離シート
５      壁内側辺
６      係合側辺
７      上端辺
８      下端辺
９      織布
１０    外壁
１１    柱部
１２    縦目地
１３    横目地
１４    化粧モール
１５    住宅ユニット
１６    小口
１７    張り出し部
１８    水切り
【図１】
0004104793.tif 000002
【図２】
0004104793.tif 000003
【図３】
0004104793.tif 000004
【図４】
0004104793.tif 000005
【図５】
0004104793.tif 000006
【図６】
0004104793.tif 000007
【図７】
0004104793.tif 000008
【図８】
0004104793.tif 000009
【図９】
0004104793.tif 000010
【図１０】
0004104793.tif 000011
【図１１】
0004104793.tif 000012
【図１２】
0004104793.tif 000013
【図１３】
0004104793.tif 000014
【図１４】
0004104793.tif 000015